(57)【特許請求の範囲】
【請求項１】
ロール紙の両端に円筒状フランジ部材を嵌合し、これらフランジ部材それぞれを支承するようになったロール紙支持装置にして、
上記フランジ部材は、フランジ部とロール紙紙管に挿入嵌合される支持円筒部とでなるフランジ本体、上記支持円筒部の外周面から複数の爪を突出する爪部材、当該爪部材を押圧力を与える圧縮部材、当該圧縮部材の一端を受けて上記支持円筒部に内接して圧縮部材の伸縮方向に摺動する加圧手段、及び当該加圧手段の摺動を行うための可倒式のセット／解除レバーを備えてなり、上記爪部材は支持円筒部の軸線方向に加圧されることで、その爪を半径方向に開張させる構造を有するロール紙支持装置において、
上記フランジ本体の支持円筒部はフランジ部取付側端部が開口した中空構造となっており、ロール紙嵌合時に当該中空構造部が取手として機能可能であり、
上記セット／解除レバーが、解除位置では上記取手に干渉し、セット位置では取手に干渉しない位置関係を有することを特徴とするロール紙支持装置。
【請求項２】
上記セット／解除レバーの立・倒回動の支点となる回転支持近傍に偏芯カムを形成して、この偏芯カムによって上記加圧手段の摺動を行うことを特徴とする請求項１に記載のロール紙支持装置。
【請求項３】
上記フランジ部材がロール紙に嵌合する際に、加圧手段とセット／解除レバーがフランジ本体内に格納され、フランジ本体端面がフラットとなることを特徴とする請求項１又は２に記載のロール紙支持装置。
【請求項４】
上記セット／解除レバーが、解除時の立ち位置に対して、加圧手段を押圧摺動して爪部材の爪を開張させるセット時には２方向のいずれにも倒れることが可能に構成されていることを特徴とする請求項１〜３のいずれか一項に記載のロール紙支持装置。
【発明の詳細な説明】
【０００１】
【発明の属する技術分野】
本発明は、プリンタ、複写機、ファクシミリ等の紙送り機構を有した画像形成装置に装着可能なロール紙保持装置に関するものである。
【０００２】
【従来の技術】
従来、ロール紙を画像形成装置にセットする際に、広く所謂スプールタイプの部材を用いて行われている。このようなやり方では、ロール紙を全幅で支持することができ、更にスプールの位置決めを装置本体の側板に直接できることから、ロール紙の軸ぶれも少なく、搬送性も優れている。
【０００３】
しかしながら、大型機、特にＡ０サイズ紙までを取り扱う機械においては、スプール長が１ｍにもなり、ロール紙脱着の際に困難が生じるために、大型機には不向きである。
【０００４】
一方で、例えば実開昭６４−４３０４８号や実公平７−４８５９８号などでは、フランジをロール紙の両側で嵌合させ、ローラ物の上に載置させるやり方も提案されている。実開昭６４−４３０４８号公報には、円筒形状に巻回されたロール紙の中心に形成された中空孔の内径よりやや小さな外径に設定された円筒部とこの円筒部の外周にその軸心に沿って形成された複数のスリットと上記円筒部の一端から拡開するフランジとを有する支持輪と、上記円筒部の開放側の内周縁に当接する傘状の押圧面を有するナットと、このナットと上記支持輪とを結合する螺子とよりなるロール紙保持装置が開示されている。しかしながら、このような提案装置は、螺子をもってフランジ嵌合部先端を開張してロール紙管内壁を押圧するので、強い拘束力を得るものの、セット時に螺子の締め付け作業がある等、手間が多くなっている。また実公平７−４８５９８号公報には、ロール紙を支持する端部支持部材をロール紙のコアに挿入するための本体部材と、当該本体部材の貫通孔に挿入される補助部材とを組み合わせることで構成され、上記本体部材では、コアに挿入する方向に突出させて設けられた複数のアーム部材を設け、当該アーム部材に上記貫通孔の内面に向けて突出した突起を設け、上記補助部材では、本体部材の貫通孔に挿入する筒部材の外周部には頂部に凹部を形成した突起部材を設け、上記補助部材を本体部材に挿入して回転させることにより、上記アーム部材の突起を補助部材の突起部材に設けられた凹部に係合させるとともに、本体部材のアーム部材を拡開させてロール紙のコアの内面に押圧する構成が開示されている。このような開示構成は、樹脂部材の弾性力を利用してロール紙管内壁を押圧するのに適したものであるが、内部に入る偏芯円筒部材を回転させて、突起部で樹脂部材を弾性変形させてセットするため、セット時にフランジを抑えていないと、偏芯円筒部材の回転につられて本体が回ってしまい、セットできないという不具合がある。
【０００５】
【発明が解決しようとする課題】
そこで本発明は、上述の従来技術の欠点に鑑み、フランジを改良して、セット時の操作性に優れたロール紙保持装置を提供することを課題とする。
【０００６】
【課題を解決するための手段】
上記課題は、ロール紙の両端に円筒状フランジ部材を嵌合し、これらフランジ部材それぞれを支承するようになったロール紙支持装置にして、上記フランジ部材が、フランジ部とロール紙紙管に挿入嵌合される支持円筒部とでなるフランジ本体、上記支持円筒部の外周面から複数の爪を突出する爪部材、当該爪部材を押圧力を与える圧縮部材、当該圧縮部材の一端を受けて上記支持円筒部に内接して圧縮部材の伸縮方向に摺動する加圧手段、及び当該加圧手段の摺動を行うための可倒式のセット／解除レバーを備えてなり、上記爪部材が支持円筒部の軸線方向に加圧されることで、その爪を半径方向に開張させる構造を有するロール紙支持装置において、上記フランジ本体が支持円筒部はフランジ部取付側端部が開口した中空構造となっており、ロール紙嵌合時に当該中空構造部が取手として機能可能であり、上記セット／解除レバーが、解除位置では上記取手に干渉し、セット位置では取手に干渉しない位置関係を有することによって、解決される。
【０００７】
上記セット／解除レバーの立・倒回動の支点となる回転支持近傍に偏芯カムを形成して、この偏芯カムによって上記加圧手段の摺動を行うようになっているのが好適である。
【０００８】
また上記フランジ部材がロール紙に嵌合する際に、加圧手段とセット／解除レバーがフランジ本体内に格納され、フランジ本体端面がフラットとなれば好ましい。
【０００９】
上記セット／解除レバーが、解除時の立ち位置に対して、加圧手段を押圧摺動して爪部材の爪を開張させるセット時には２方向のいずれにも倒れることが可能に構成されていれば好都合である。
【００１１】
【発明の実施の形態】
本発明の詳細を、図に示す例に基づいて説明する。
図１に、本発明に係るロール紙支持装置を組み込んだ複写機本体の概略を示す。当該本体には、図示を省略しているが引き出し式の給紙トレイが設けられており、当該給紙トレイを引き出した状態で、ロール紙１が上方又は前（図の左側）からセットできるようになっている。それぞれのロール紙１はフィードローラ対２により引き出され、画像形成部へ搬送される。各ロール紙の搬送路は、用紙カッター３の手前で合流するようになっており、それぞれのロール紙１は当該用紙カッター３で、画像形成に必要とされる所定の長さで切断されるようになっている。
【００１２】
用紙カッター３を通過して画像形成部に送り出されたカット紙は、レジストローラ４にて作像タイミングとの同期がとられ、転写部５にてトナー転写をされ、しかる後に定着部６にて熱定着されて機外へ排出される。一方、原稿読取部７では画像情報を有した原稿が搬送され、画像情報を読み取られ、その読取情報に基づいて転写部５の感光体に対する露光を行う。
【００１３】
図２は、図１に示された複写機本体のロール紙セット部にロール紙を取り付ける状態を分解組立図的に示したもので、図３はロール紙をセットした状態を側面から示すものである。
【００１４】
ロール紙セット部には、受け台８を載置する底板９が底面領域に設けられている。底板９には、受け台８の下面に設けられたボス部１０に嵌合可能な幾つかの嵌合孔１１が設けられている。このように複数の嵌合孔１１が設けられているのは、ロール紙１の複数の規格サイズに対応できるようにするためである。また底板９は、受け台８の裏面に取り付けられたマグネット１２（図３に示されている）吸着のために、金属などの導体で作られており、ボス部１０を嵌合孔１１に嵌合すると受け台８を固定することができる。
【００１５】
一方、ロール紙１には、両端側からフランジ部材１３が嵌合される。当該フランジ部材１３は、フランジ部１４と、ロール紙紙管に挿入嵌合される小径の支持円筒部１５とを備えて構成されている。支持円筒部１５の外周面には、ロール紙紙管内径にほぼ対応する円筒外径を構成するリブ１６が末端（先端）に３個、根元に３個、等間隔に設けられ、セット時のガタツキを防ぐことができるようになっている。末端側のリブ１６の間には、紙管内壁を加圧する爪部材１７がやはり等間隔に３個突出しており、その押圧力にてロール紙とフランジ部材の固定がなされる。
【００１６】
夫々の受け台８の内部には、２個のコロ１８が並べて回転自在に組み込まれ、このコロ１８にて上記フランジ部１４を支えることで、ロール紙１を回転自在に保持する構成となる。
【００１７】
図４はフランジ部材１３の分解組立図である。既に概略を述べたように、フランジ部材１３はフランジ部１４と支持円筒部１５とでなるフランジ本体１９を有する他、当該フランジ本体１９に収容されて支持円筒部１５の外周面から突出する爪部材２０、当該爪部材２０を加圧するためのスプリング２１、このスプリング２１の一端を受けて加圧する加圧部材２２、当該加圧部材２２の摺動をなす可倒式のセット／解除レバー２３から構成されている。爪部材２０は、スプリング２１に対する受け部２４と、放射状に伸びた３つの腕部２５と、その先端の爪部１７とで構成され、しかも腕部２５は弾性変形する樹脂部材などで構成されてなるものである。セット／解除レバー２３は、フランジ部１４の内周面に設けられたボス２６に嵌合することで回転し、セット／解除レバー２３を倒したときに、回転軸付近に設けられた突起部（偏心カム）２７によって上記加圧部材２２を押し込むことができる構成となっている。突起部２７の高さに対してセット／解除レバー２３の長さを十分長くとることで、軽い操作力でのロックが可能となっている。これらは図に示す順序で軸方向に並べられており、セット／解除レバー２３を倒すことで加圧部材２２が押し込まれ、スプリング２１が縮み、爪部材２０が加圧されることで、上記腕部２５が弾性変形し、爪部１７が外側へ押し出される。
【００１８】
図５及び図６にフランジ部材１３の動きを詳細に示す。図５がロック状態を、図６が解除状態を示すものである。フランジ本体１９は、周面先端域に爪部材２０用の貫通孔を３個所空けられた以外、先端を閉じた袋状の構成となり、強度上の優位性を保った形状となっており、重量のあるロール紙を十分に支持できるものである。先端域の内周面に形成された三角形状リブ２８（図４に示された爪部材の爪数に対応して３つ）は、爪部材２０の形状に合わせてそれぞれの方向に延伸した２列状のリブである。爪部材２０の先端爪１７をリブ間でガイドし、腕部２５が変形するときの開張方向と高さ方向のガイド面になっている。また中心より内側には、ボス軸２９が形成されている。これは、外周側で爪部材２０の動作ガイド、及び内周側で加圧部材２２の動作ガイドとなっている。
【００１９】
また爪部材２０の受け部２４の中央には、ボス軸２９に対応する穴が開いており、動作ガイドとなっている。ロック時の動作を説明すると、セット／解除レバー２３を倒すことで、当該レバーの突起部２７が加圧部材２２を押し込み、スプリング２１が縮み、受け部２４を押す。その結果、腕部２５が変形し、先端爪１７を外側に押し出し、ロール紙の紙管内壁を押圧することとなる。爪は紙管内壁に突き当たり押し付けられるまで開張するため、紙管径の公差によらず、確実なセットを保証する。また加圧部材２２のフランジ側は、外形形状に合わせて円筒状にくり貫かれており、ロール紙にフランジ部材１３を嵌合した際に操作者が手を掛ける取手３０として使えるようになっている。この取手３０は、円筒状であるために方向性がなく、フランジ部材１３の取付角度によらないものである。一方、セット／解除レバー２３は、突起部２７の形状により、解除時に取手３０の真上に位置する構成となっており（図６）、操作者が取手３０を持つことを防ぎ、ロック忘れ等の操作ミスが起こらないようになっている。またロック時は、セット／解除レバー２３により、加圧部材２２はフランジ部１４より突出しない位置まで押し込まれ、フランジ部材１３の端面がフラットとなる。これは、視覚的にロック確認ができることに加えて、引っ掛かりのないため扱いやすく、この状態でロール紙の縦置きや保存袋への保存が可能であり、ロール紙交換のたびに付け外しする必要がまったくなく、ハンドリングの向上に寄与することとなる。
【００２０】
図７はロック状態、図８は解除状態を斜視図として示す。ロック時にセット／解除レバー２３が倒れ、フランジ面がフラットになり、取手３０が露出することとなる。解除時にはセット／解除レバー２３が立ち上がり、取手３０の操作を困難にする。
【００２１】
図９は、セット／解除レバー２３’の形状を変更して、支点を中心に両側に倒れることが可能で、両側でロックできるようにした例である。図のように、左右に対称な形状をとることで、操作者はどちらにレバーを倒すべきか気にする必要がなく、片側方向セットの構成と比較して操作性が向上する。また片側方向セットの上記構成のように、非ロック側へレバーを無理矢理倒そうとして破損するといった事態も生じない。
【００２２】
【発明の効果】
本発明によれば、ロール紙の両端に嵌合されるべき円筒状フランジ部材が、フランジ部とロール紙紙管に挿入嵌合される支持円筒部とでなるフランジ本体、上記支持円筒部の外周面から複数の爪を突出する爪部材、当該爪部材を押圧力を与える圧縮部材、当該圧縮部材の一端を受けて上記支持円筒部に内接して圧縮部材の伸縮方向に摺動する加圧手段、及び当該加圧手段の摺動を行うための可倒式のセット／解除レバーを備えてなり、上記爪部材が支持円筒部の軸線方向に加圧されることで、その爪を半径方向に開張させる構造を有しているので、従来のようなネジ止め式に比べて格段に操作性が優れ、また実公平７−４８５９８号等に開示された加圧部材を回転させる方式のように、セット時にフランジ自体が回ってしまう懸念がない。特に複写機などのための大きなロール紙は１０ｋｇ超の重量があり、これを保持するためには、多大な力を要する。本発明では、上記セット／解除レバーの立・倒回動の支点となる回転支持近傍に偏芯カムを形成して、この偏芯カムによって上記加圧手段の摺動を行うようになっているので、レバーの回転を加圧手段の押し込みに変換して負荷を低減することができるようになっており、この時のレバー比（力の低減率）は、従来の回転式に比べて遥かに大きくすることができる。上記フランジ本体の支持円筒部はフランジ部取付側端部が開口した中空構造となっており、ロール紙嵌合時に当該中空構造部が取手として機能可能であれば、ロール紙の取り扱いの際に操作性／可搬性が良くなることはもちろん、通常デッドスペースとなる空間を利用しているので、取手を別途に形成するものに比べて、スペース効率にも優れる。上記セット／解除レバーが、解除位置では上記取手に干渉し、セット位置では取手に干渉しない位置関係を有していることで、未セット／不完全セット状態で操作者が誤った取り扱いをすることを避けることができる。
【００２３】
また上記フランジ部材がロール紙に嵌合する際に、加圧手段とセット／解除レバーをフランジ本体内に格納してフランジ本体端面をフラットとすることで、引っ掛かりのない形状として、この状態でロール紙の縦置きや保存袋への保管を行えば都合が良い。また狭幅のロール紙では、重ね置きも可能であり、ロール紙交換するたびに付け外しする手間を省くことができる。
【００２４】
上記セット／解除レバーが、解除時の立ち位置に対して、加圧手段を押圧摺動して爪部材の爪を開張させるセット時には２方向のいずれにも倒れることが可能に構成されていることで、操作者はどちらにレバーを倒すか気にする必要がなくなり、片側方向にのみ倒れる構成のものと比較して、操作性が増し、そのような片側方向セットのように非セット側にレバーを倒そうとしてレバーが破損するように事態も回避できる。
【図面の簡単な説明】
【図１】本発明に係るロール紙支持装置を装着した複写機本体の概略図である。
【図２】本発明に係るロール紙支持装置の概略斜視図である。
【図３】本発明に係るロール紙支持装置によりロール紙がセットされた状態での概略側面図である。
【図４】ロール紙支持装置を構成するフランジ部材の分解組立図である。
【図５】フランジ部材のロール紙への嵌合ロック状態を説明する図である。
【図６】フランジ部材のロール紙への嵌合ロック状態を解除した様子を説明する図である。
【図７】レバーを倒しロック状態としたフランジ端面側を示す斜視図である。
【図８】レバーを立ててロック解除状態としたフランジ端面側を示す斜視図である。
【図９】レバーを２方向に倒すことができる構成を説明する部分図である。
【符号の説明】
１４  フランジ部
１５  支持円筒部
１７  爪部
１９  フランジ本体
２０  爪部材
２１  スプリング
２２  加圧部材
２３  セット／解除レバー
２４  受け部
２５  腕部
２６  ボス
２７  突起部
【図１】
0003772057.tif 000002
【図２】
0003772057.tif 000003
【図３】
0003772057.tif 000004
【図４】
0003772057.tif 000005
【図５】
0003772057.tif 000006
【図６】
0003772057.tif 000007
【図７】
0003772057.tif 000008
【図８】
0003772057.tif 000009
【図９】
0003772057.tif 000010